(57)【要約】      （修正有）【課題】積み重ねを可能にした効率的な陳列、購入後の持ち帰りを容易にすると共に、容器内外の良好な空気流通でイチゴにカビが生じないように鮮度を維持できるイチゴ容器用の蓋を提供する。【解決手段】イチゴＳを収納する収納容器１０の開口部に設けた被嵌合縁１１に嵌め合わせる嵌合縁３を周縁に設けた蓋本体１に、収納容器１０との嵌め合わせ部位である蓋本体１における周囲の蓋側壁２に蓋本体１の内外の空気を流通させる空気流通部５を形成する。空気流通部５は、蓋側壁２の下縁から蓋本体１の覆い壁７の内方に向かって切り欠くことで形成し、切欠縁には蓋本体１の外方に延びる縁片６を形成する。また、収納容器１０に蓋本体１が嵌め合わせたときの被嵌合縁１１の上方で蓋本体１の内外で空気が流通する空隙を生じさせて構成する。【選択図】図１
0003209462.tif 000002
【実用新案登録請求の範囲】
【請求項１】
イチゴを収納する収納容器の開口部に設けられている被嵌合縁に嵌め合わせる嵌合縁が周縁に設けられている蓋本体に、収納容器との嵌め合わせ部位である蓋本体における周囲の蓋側壁に蓋本体の内外の空気を流通させる空気流通部を形成したことを特徴とするイチゴ容器用の蓋。
【請求項２】
空気流通部は、蓋側壁の下縁から蓋本体の覆い壁の内方に向かって切り欠くことで形成され、切欠縁には蓋本体の外方に延びる縁片を形成してある請求項１に記載のイチゴ容器用の蓋。
【請求項３】
空気流通部は、収納容器に蓋本体が嵌め合わせられたときの被嵌合縁の上方で蓋本体の内外で空気が流通する空隙を生じさせてある請求項１または２に記載のイチゴ容器用の蓋。
【請求項４】
空気流通部は、収納容器、蓋本体が平面から見て長方形を呈するとき、その短辺がわに少なくとも設けられる請求項１乃至３のいずれかに記載のイチゴ容器用の蓋。
【請求項５】
蓋本体の覆い壁には、蓋本体の内外の空気を流通させる空気孔が開穿されている請求項１乃至４のいずれかに記載のイチゴ容器用の蓋。
【考案の詳細な説明】
【技術分野】
【０００１】
この考案は、イチゴを陳列販売するに際し、イチゴを収納した収納容器に施蓋しておくことで多段的に積み重ね可能にして効率的に陳列できると共に、購入後の持ち帰りに際してもコンパクトに包装し持ち運びできるようにしたイチゴ容器用の蓋に関する。
【背景技術】
【０００２】
従来から、例えばスーパーマーケット、コンビニエンスストア等でイチゴ等の軟らかい果実を陳列販売するに際し、これらの果実自体を積み重ねるのは損傷させることになるから好ましくはなく、そのため例えばＰＥ素材の成型シート材製の収納容器内に積み重なることなく並列状態で整列して収納し、この収納容器の開口部には、端部に粘着剤等が付着されている透明フィルム材によって包覆することでラッピング包装している。こうしたラッピング包装構成に使用される透明フィルム材は、例えば特許文献１に示されている包材用原反シート等である。
【０００３】
また、特許文献２に示されている包装容器があり、この包装容器はイチゴそれぞれを個別的に載置収納する収納凹部が複数形成されたトレーに開閉自在な透明カバーを設け、イチゴに弾性的に接触するよう透明カバーの下面開口部に伸縮性フィルムシートを張設してイチゴの動きを抑止するとする。
【先行技術文献】
【特許文献】
【０００４】
【特許文献１】特開２００１−３０１８１２号公報
【特許文献２】特開２０１０−１６８０８３号公報
【考案の概要】
【考案が解決しようとする課題】
【０００５】
ところが、特許文献１に示されるラッピング包装構成では、収納容器を重ねると上段の収納容器によって下段の収納容器内のイチゴが損傷されるから、積み重ねることはできず、陳列販売に際してはこれらを並列させなければならないから、広い陳列スペースを必要とする。そればかりでなく、購入して持ち帰るときにも積み重ねられないから、このイチゴ容器のみを別にして持つか、別に用意された剛性の蓋体を被せることで積み重ねるかしているから面倒である。
【０００６】
また、特許文献２に示される包装容器では、トレーの開口部を透明カバーによって覆うから、多段的な積み重ねは可能であっても、透明カバーに張設した伸縮性フィルシートがイチゴに被せられるから、通気性が阻害され、収納したイチゴにいわゆるカビが生じて商品価値を著しく低減させることがある。
【０００７】
そこでこの考案は叙上のような従来存した諸事情に鑑み案出されたもので、その目的はイチゴを収納した状態で多段的な積み重ねを可能にして効率的に陳列できるようにし、また複数で購入しても持ち帰りが容易であるようにすると共に、容器内外の空気流通を良好にしてカビの発生を抑制し、イチゴの鮮度を維持できるようにしたイチゴ容器用の蓋を提供することにある。
【課題を解決するための手段】
【０００８】
上述した課題を解決するため、この考案にあっては、イチゴＳを収納する収納容器１０の開口部に設けられている被嵌合縁１１に嵌め合わせる嵌合縁３が周縁に設けられている蓋本体１に、収納容器１０との嵌め合わせ部位である蓋本体１における周囲の蓋側壁２に蓋本体１の内外の空気を流通させる空気流通部５を形成したことを特徴とする。
空気流通部５は、蓋側壁２の下縁から蓋本体１の覆い壁７の内方に向かって切り欠くことで形成され、切欠縁には蓋本体１の外方に延びる縁片６を形成して構成することができる。
空気流通部５は、収納容器１０に蓋本体１が嵌め合わせられたときの被嵌合縁１１の上方で蓋本体１の内外で空気が流通する空隙を生じさせて構成することができる。
空気流通部５は、収納容器１０、蓋本体１が平面から見て長方形を呈するとき、その短辺がわに少なくとも設けられることで構成することができる。
蓋本体１の覆い壁７には、蓋本体１の内外の空気を流通させる空気孔９が開穿されて構成することができる。
【０００９】
以上のように構成されたこの考案に係るイチゴ容器用の蓋にあって、イチゴＳが収納されている収納容器１０に施蓋される蓋本体１は、収納容器１０の開口部を覆い、上方等からの押圧作用その他があっても収納したイチゴＳに対して負荷を与えないから、損傷させず、また空気流通部５は収納容器１０、蓋本体１等の内外で空気を流通させ、容器内のイチゴＳの鮮度を維持させる。
収納容器１０との嵌め合わせ部位に配した空気流通部５は、収納容器１０の被嵌合縁１１の上方に形成される空隙が収納容器１０、蓋本体１の内外で空気を流通させ、縁片６は空気流通部５の縁部を補強し、蓋本体１に付加される荷重等によっても蓋本体１、空気流通部５等を歪形させず、収納したイチゴＳを保護する。
平面で長方形を呈する収納容器１０，蓋本体１の短辺がわにある空気流通部５は、例えば長辺がわ相互間でラッピングフィルムが被装されていても収納容器１０の内外での空気流通を円滑にする。
覆い壁７の空気孔９は、収納容器１０、蓋本体１内の空気を対流作用で蓋本体１の上方に排気させ、排気させることで空気流通部５から外気を導入させ、内外での空気流通を一層良好にする。
【考案の効果】
【００１０】
この考案は以上説明したように構成されているため、イチゴＳを収納した収納容器１０に蓋本体１が施蓋されるため、イチゴＳを収納した状態で収納容器１０を積み重ねることができ、陳列販売されるときの陳列効率を向上でき、また購入後に持ち帰るに際し面倒な手間が掛からない。しかも、イチゴＳを収納した収納容器１０との嵌め合わせ部位の蓋本体１に設けられた空気流通部５によって収納容器１０、蓋本体内１の内外で空気を流通させ、イチゴＳに外気が導入されることで鮮度を維持することができ、カビの発生その他を抑制できる。
【００１１】
すなわちこれはこの考案において、イチゴＳを収納する収納容器１０に嵌め合わせ施蓋する蓋本体１に、収納容器１０との嵌め合わせ部位である蓋本体１の蓋側壁２に蓋本体１の内外の空気を流通させる空気流通部５を形成したからであり、収納したイチゴＳへの蓋本体１による外力の負荷を阻止しながら、空気流通部５を経る内外の空気流通によるカビ発生の抑止できる。
【００１２】
また、空気流通部５は、蓋側壁２の下縁から覆い壁７に向かって切り欠かれ、その切欠縁には外方に延びる縁片６を形成してあることで、空気流通部５自体を、更には蓋本体１をも蓋本体１に付与される荷重、例えば多段的に積み重ねたときの上段からの荷重によっても歪形されることがなく、内部に収納したイチゴＳを十分に保護できる。
【００１３】
平面で長方形状を呈する蓋本体１における短辺がわに配された空気流通部５は、同じく平面で長方形状を呈する収納容器１０における長辺がわ相互間で例えばラッピングフィルムが被せられているときでも収納容器１０の内外で空気を流通させることができる。
【００１４】
また、蓋本体１の覆い壁７に空気孔９を開穿しておくことで、蓋本体１内の空気を対流作用で外部に排気でき、空気流通部５からの外気導入が効率的になり、収納容器１０の内外の空気をより一層流通させることができる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す使用時の分解斜視図である。
【図２】同じく施蓋使用時の側面図である。
【図３】同じく施蓋使用時の一部拡大断面図を含む断面図である。
【考案を実施するための形態】
【００１７】
以下、図面を参照してこの考案を実施するための一形態を説明すると、図において示される符号１は、所定量のイチゴＳを収納する収納容器１０に被せられる蓋本体である。この蓋本体１は、例えば周縁の前後、左右に配した蓋側壁２と、上部を覆う覆い壁７とから例えば収納容器１０の深さとほぼ同様にした高さとなっているドーム状に形成されて成り、収納容器１０の開口部にやや強制的に嵌め合わせられる嵌合縁３を蓋側壁２の縁部に備えている。
【００１８】
図示例の収納容器１０、蓋本体１は長辺、短辺を有する平面から見てほぼ長方形状を呈しているも、平面でほぼ正方形状であったり、円形、楕円形、多角形等であったりしても良く、特に限定されない。
【００１９】
なお、嵌合縁３は、収納容器１０の開口部に形成されている被嵌合縁１１に強制的にでも覆い被さるように形成されている。すなわち図示のように、被嵌合縁１１は、収納容器１０の開口部に外方に向けてフランジ状に張り出し部分を延成し、この張り出し部分の外縁に収納容器１０の底壁がわに向けて折返し状に折曲した折り返し部分を連続させることで、断面でほぼ逆Ｌ字状に形成されている。
【００２０】
また、蓋本体１の周辺に設けられる嵌合縁３は、被嵌合縁１１における張り出し部分に当接するフランジ状の張り出し当接部分と、折り返し部分の周縁に強制的にでも嵌め合わせられて当接する溝状の嵌合溝４を備えた嵌め合い部分を連続させることで形成されている。
【００２１】
この蓋本体１の嵌合縁３には、収納容器１０の前記被嵌合縁１１との嵌め合わせ部位である蓋本体１における周囲の蓋側壁２に蓋本体１及び収納容器１０の内外の空気を流通させる空気流通部５を形成してある。この空気流通部５は、蓋側壁２の下縁から蓋本体１の覆い壁７の内方に向かって例えば円弧状に切り欠くことで形成してあり、切欠縁には蓋本体１の外方に延びる縁片６を形成してある。また空気流通部５における蓋本体１の蓋側壁２の高さ方向に沿う切欠奥部に至る高さは、収納容器１０に蓋本体１を被せて嵌合縁３を収納容器１０の被嵌合縁１１に嵌め合わせたとき、被嵌合縁１１の前記張り出し部分の上方で、内外で空気が流通する空隙が生じるものとしてある。
【００２２】
蓋側壁２における空気流通部５の上方部位には、蓋本体１の覆い壁７に向かうに従い次第に先細状となる適数の浅底状の溝を並列して成る補強部２Ａを形成してある。
【００２３】
空気流通部５は、蓋本体１の蓋側壁２の長辺、短辺の少なくてもいずれかに設けられるのであり、図例にあっては長辺、短辺のいずれにも１個にて配設されている。図示を省略したが、長辺、短辺のいずれか一方であっても、また配設数が制限されているものではない。
【００２４】
図示例にあっての空気流通部５は、蓋本体１における長辺がわ、短辺がわそれぞれに配することで計４個の空気流通部５が設けられている。なお、収納容器１０内にイチゴＳが整列収納されたとき、長辺がわ相互間に粘着されることでラッピングフィルムによって収納容器１０が包覆される場合があることを考慮すると、少なくとも短辺がわに空気流通部５が配設されることが望ましい。
【００２５】
また、蓋本体１の覆い壁７は、図示例にあっては、四隅に上方に膨出形成した平面でほぼＬ字状の係止突部８が設けられている平坦状に形成されており、蓋本体１の内外の空気を流通させる適宜径の空気孔９が適数で開穿されている。
【００２６】
次にこれの使用の一例を説明すると、所定の収納容器１０内にイチゴＳを整列させて、必要があればそれぞれを適当な保護材によって保護した状態で収納し、この考案に係る蓋を嵌め合わせて施蓋する。蓋を嵌め合わせるに際し、蓋本体１に形成してある嵌合縁３を収納容器１０の被嵌合縁１１に強制的にでも嵌め合わせるのであり、収納容器１０における被嵌合縁１１上に、蓋本体１に設けてある空気流通部５の空隙部分が位置されることで蓋本体１、収納容器１０の内外で空気が流通されるようにしておく。
【００２７】
蓋が施蓋された状態の収納容器１０では、販売時の陳列時では多段的に積み重ねておくことができ、また、購入され持ち帰られる際にも重ねることができる。
【符号の説明】
【００２８】
Ｓ…イチゴ
１…蓋本体                              ２…蓋側壁
２Ａ…補強部                            ３…嵌合縁
４…嵌合溝                              ５…空気流通部
６…縁片                                ７…覆い壁
８…係止突部                            ９…空気孔
１０…収納容器                          １１…被嵌合縁
【図１】
0003209462.tif 000003
【図２】
0003209462.tif 000004
【図３】
0003209462.tif 000005